(57)【特許請求の範囲】
【請求項１】
時間上の拡散コードにより変調された空間ダイバーシチ信号を受信する受信デバイスを含む装置であって、前記受信デバイスは、少なくとも２つの送信チャンネルで受信された信号を受信する手段と、コード入力を有した復調ブランチ形式の拡散コード復調回路に接続される出力を有したミクサー回路とを有し、
上記ミクサー回路は、実数及び虚数信号チャンネルであって、一方における信号の位相がシフトされた実数及び虚数信号チャンネル（Ｉ＝Ｉ１＋Ｉ２、Ｑ＝Ｑ１−Ｑ２）を生成する手段を含み、
前記実数及び虚数信号チャンネルをデジタル化する手段と、
前記デジタル化された実数及び虚数信号チャンネルを結合して結合信号（Ｉ＋ｊ＊Ｑ）を生成すると共に、前記結合信号を、前記拡散コード復調回路の複数の復調ブランチに印加する手段であって、前記複数の復調ブランチのうちの１つが、前記拡散コードを受信し、前記複数の復調ブランチのうちの少なくとも他の１つが、共役の拡散コードを受信する、手段と、
復調されたデータビットを生成する手段とを含むことを特徴とする、装置。
【請求項２】
前記少なくとも２つのチャンネルのそれぞれで受信された信号を複素信号に形成すると共に、前記複素信号を前記ミクサー回路に印加する手段と、
前記ミクサー回路が、受信した信号の虚数部を反転するミキシング入力を有することとを特徴とする、請求項１記載の装置。
【請求項３】
前記復調ブランチから出力される信号を結合する結合手段を特徴とする、請求項１又は２記載の装置。
【請求項４】
時間上の拡散コードにより変調された空間ダイバーシチ信号の処理方法であって、
少なくとも２つの送信チャンネルにわたる信号を受信し、
前記信号を局部発信器信号と混合して、実数及び虚数信号チャンネルであって、一方における信号の位相がシフトされた実数及び虚数信号チャンネル（Ｉ＝Ｉ１＋Ｉ２、Ｑ＝Ｑ１−Ｑ２）を生成し、
前記実数及び虚数信号チャンネルをデジタル化し、
前記デジタル化された実数及び虚数信号チャンネルを結合して結合信号（Ｉ＋ｊ＊Ｑ）を生成し、
前記結合信号を、拡散コード復調回路の複数の復調ブランチに印加し、前記複数の復調ブランチのうちの１つが、前記拡散コードを受信し、前記複数の復調ブランチのうちの少なくとも他の１つが、共役の拡散コードを受信し、
復調されたデータビットを生成することを含むことを特徴とする、処理方法。
【発明の詳細な説明】
【０００１】
【発明の属する技術分野】
本発明は、時間上の拡散コード係数により変調された信号と少なくとも２のチャンネルにより受信された信号とに対する空間ダイバーシチにより働く受信デバイスを含む装置に関する。
【０００２】
また、本発明は、多様なチャンネルにより受信された信号の処理方法に関する。
【０００３】
本発明は、拡散コード変調が使用されるとき（ＣＤＭＡ）のアプリケーションを見出す。
【０００４】
【従来の技術】
困難な伝播条件において、空間ダイバーシチを要求することが必要となることがわかる。そのとき持ち上がる問題点は、信号の受信に伴われるチャンネルの各１に取り付けられなければならない多種多様な資材である。これらのチャンネルは、受信アンテナによって形成される。
【０００５】
かかる装置は、英国特許出願第2340354号から知られている。この文献では、各アンテナからの信号を処理することが提案されている。動作の一は、前処理後にデジタル形式の信号を符号化することからなる。信号を速く処理する必要がある、多種多様なこれらのＡ／Ｄコーダーは、非効率性及びコスト面で不利であるとされる。
【０００６】
【発明が解決しようとする課題】
本発明は、これらの多種多様なコーダーを回避する冒頭部に述べた種の装置を提案することを目的とする。
【０００７】
【課題を解決するための手段】
上記目的のため、かかる装置は、ミクサー回路が、チャンネルの一の信号の位相を、復調ブランチの一のコード入力が共役コードと非共役コードの双方を利用してデータを再構築するように、シフトすることを特徴とする。
【０００８】
進歩的な考えは、一方では、拡散コードによって、他方では、チャンネルの一の信号の位相をシフトすることによって、引き起こされる幾つかの位相シフトを、変調ブランチが共役コードと非共役コードの双方を要求することで再構築するように、変更することを含む。
【０００９】
次の説明は、本発明が如何にして実現されるかを一層理解し易くする非限定的な例により付与される添付図面に関してなされる。
【００１０】
【発明の実施の形態】
図１は、本発明による装置１を示す。これは、ＣＤＭＡ変調により動作する移動セルラー無線電話装置である。これは、送信部５と受信部７とにより形成される。この装置は、データアクセス９に付与される情報を送信する基地局８に接続される。この変調によると、各データは、符号変調器１０による拡散コードによって“切断（チョップ）”される。このコードは、Ｎ個の複素成分若しくは複素係数：Ｃ０，Ｃ１,…ＣＮの連続である。これらの複素係数のそれぞれは、例えば、値（１＋ｊ，１−ｊ，−１＋ｊ，−１−ｊ）の一を採用してよい。
【００１１】
装置１の送信部５は、送信用のアクセス１３に付与された情報を送信デバイス１２によって送信するアンテナ１１を有する。
【００１２】
装置１の受信部７は、複数の受信アンテナを有する。説明される例のフレームワーク内では、それぞれ参照符号１５，１７で称される２つの受信アンテナが示されている。これらのアンテナで捕捉された信号は、それらを発振器２５の信号により混合するミクサー回路２０によって第１に処理される。この回路からの信号は、複素形式で利用可能である。これらは、その後、２つのブランチ３０，３１の形式のＲＡＫＥ受信機に適用され、これら２つのブランチ３０，３１の信号は、単純な加算器の形式の合成回路３５に適用される。信号シャープニング（鮮鋭化）回路３７は、アクセス３８でそれらをリストアするようにそれらを適合させる。
【００１３】
本発明によると、ミクサー回路は、４つの要素的なミクサー４０，４１，４２，４３を含む。ミクサー４０，４２は、位相シフティングネットワーク４４を介して発振器２５の同相信号を入力部で受信し、一方、ミクサー４１，４３の入力部は、同一の位相シフティングネットワーク４４を介して同一の発振器２５の９０°及び−９０°での信号を受信する。これは、ミクサー４３付近の印《−》によって指示される。ミクサー４０，４１の他の入力部は、他の位相シフティングネットワーク５０を介して得られる、アンテナ１７の同相信号及び直交位相信号をそれぞれ受信する。同様に、ミクサー４３，４２の他の入力部は、他の位相シフティングネットワーク５１を介して実現されるが、アンテナ１５から同相信号及び直交位相信号をそれぞれ受信する。加算器５８，５９は、ミクサー４０，４２によって形成された同相部と称される部分を足し合わし、ミクサー４１，４３によって形成された直交位相部と称される部分を足し合わせる。加算器５８の出力部では、アンテナ１５，１７からの同相信号の合計である同相信号Ｉが存在し、加算器５９の出力部では、これらの同一のアンテナによって生成された直交信号の差である直交位相Ｑが存在する。即ち、Ｉ＝Ｉ１＋Ｉ２、Ｑ＝Ｑ１−Ｑ２である。Ｉ１，Ｑ１は、アンテナ１７からの信号であり、Ｉ２，Ｑ２は、アンテナ１５からの信号である。
【００１４】
信号Ｉ，Ｑは、一のダブル・Ａ／Ｄエンコーダ６０（適用される信号の複素的な特性ゆえに）を含むフィルタ符号化アセンブリ２８に更に適用される。このようにデジタル化された信号は、この種の信号に対する従来的なタイプのフィルタ６２によってフィルタ処理される。これらは、その後、２つのＲＡＫＥブランチ３０，３１に適用される。
【００１５】
本発明の他の手段によると、ＲＡＫＥブランチ３０の係数は、係数Ｃ０，Ｃ１,…ＣＮであり、ＲＡＫＥブランチ３１の係数は、Ｃ０＊，Ｃ１＊,…ＣＮ＊である。
【００１６】
本発明は、次の考慮に基づく。
【００１７】
送信される各データは、複素数とみなされる拡散コード成分により変調されるスライスに、切断される。各スライスは、従って、拡散コード成分によって定義される回転を受ける。
【００１８】
受信時に、復調が拡散コード成分の共役値によって行われる場合、スライスは、送信時に適用された回転の逆の回転を受け、これにより、データを再構築することが可能となる。
【００１９】
本発明によると、ミクサー回路のおかげで、チャンネルで受信したデータは、拡散コード成分の回転とは逆の回転を受ける。共役でない非共役コードが適用された場合、データは、再構築される。他のチャンネルのデータは、非共役コードがそれらと一致しないので、妨害されることはない。同様に共役のコードにより一致した態様で復調された他のチャンネルのデータに対して該当する一方で、第１のチャンネルのデータは、共役コードと一致しない。
【図面の簡単な説明】
【図１】本発明による装置を示す図である。
【符号の説明】
１    装置
７    受信デバイス
８    基地局
１０    符号変調器
１５    アンテナ
１７    アンテナ
２０    ミクサー回路
２５    発振器
３０    変調ブランチ
３１    変調ブランチ
４０，４１，４２，４３    ミクサー
５８，５９    加算器
【図１】
0004024038.tif 000002